(57)【特許請求の範囲】
【請求項１】
筒状の紙管の開口端に嵌め込まれた口金を除去する紙管口金除去装置において、回転駆動される１つ以上の口金取り刃を前記紙管の開口端から紙管内に挿入し、前記口金取り刃で口金を打撃することによって、前記口金を前記紙管から除去することからなり、前記口金取り刃は、モータにより回転駆動される回転軸に固定され、且つ前記回転軸の中心線を通る垂直面に対して傾斜角を有する面と回転軸表面との交線から前記垂直面に対して垂直な方向に固定された棒状体に刃型を形成したものであることを特徴とする紙管口金除去装置。
【請求項２】
前記紙管の開放端を前記口金取り刃に案内する紙管受けロールを備えたことを特徴とする請求項１記載の紙管口金除去装置。
【発明の詳細な説明】
【０００１】
【発明の属する技術分野】
本発明は、紙管の端縁部に補強のために嵌め込まれた口金を簡便かつ効率よく除去するための紙管口金除去装置に関するものである。
【０００２】
【従来の技術】
新聞や雑誌を印刷する場合、図９に示すような巻取紙５１を使用する。巻取紙５１は、円筒状の紙管５２の周囲に印刷用の原紙５３を巻回したものである。巻取紙５１は重量があり、荷役を行う場合は紙管５２に鉄棒等を貫通させて、両端を吊り上げたり、ロープを貫通させて吊り上げたりする。
このような荷役を行うと、紙管５２の両端部に重量が掛かって破損することがあり、また、印刷する場合に原紙全体を回転させるために紙管内に嵌合される回転軸を支承できるように、紙管５２の両端部に金属製の口金５４を嵌め込み、両端部を補強するようになっている。なお、口金５４は抜け落ちを防止するために、ポンチング等により紙管に係止されている。
【０００３】
一方、印刷工場等において原紙５３を使い切った場合、紙管５２が口金５４と一体になった状態で残る。紙管５２は回収されて再利用されることもあれば、産業廃棄物として処分されるが、何れにしても紙管５２から口金５４を除去しておく必要がある。
しかし、口金部分をハンマーで叩き砕くなどの人手による除去作業は、多大の労力を要するうえに効率が悪く、しかも事故などが発生しやすい。
【０００４】
このような観点から、種々の検討が行われ、例えば実公昭５７−１３８８６３号「紙管の口金除去装置」、実用新案登録第３００７３６１号「紙管の口金取外し装置」、特公平７−９０９８８号「口金の離脱方法」等が提案されている。
【０００５】
【発明が解決しようとする課題】
前記「紙管の口金除去装置」は、装置の構造が複雑であるうえに、１次及び２次にわたる紙管の圧縮工程と、口金を紙管から分離させる工程が必要であり、作業工程が多い。
また前記「紙管の口金取外し装置」は、紙管と口金の弾性の違いを利用して取外すものであるが、梃子を備えるなど構造が複雑である。
更に前記「口金の離脱方法」は、口金内にテーパ軸を差し込み、引き抜き時に紙管から口金を離脱させるのであるが、テーパ軸の駆動機構や口金を払い落とす機構等が必要であり、装置全体の構成が複雑である。
【０００６】
本発明は、前記課題を解決するためになされたもので、その目的は構造が簡単であるうえに、口金を簡単に効率よく除去できる紙管口金除去装置を提供することにある。
【０００７】
【課題を解決するための手段】
本発明の目的は、下記の構成により達成される。
（１）  筒状の紙管の開口端に嵌め込まれた口金を除去する紙管口金除去装置において、
回転駆動される１つ以上の口金取り刃を前記紙管の開口端から紙管内に挿入し、前記口金取り刃で口金を打撃することによって、前記口金を前記紙管から除去することからなり、前記口金取り刃は、モータにより回転駆動される回転軸に固定され、且つ前記回転軸の中心線を取る垂直面（Ｐ）に対して傾斜角（α）を有する面と回転軸表面との交線から前記垂直面に対して垂直な方向に固定された棒状体に刃型を形成したものであることを特徴とする紙管口金除去装置。
（２）前記紙管の開放端を前期口金取り刃に案内する紙管受けロールを備えたことを特徴とする（１）記載の紙管口金除去装置。
【０００８】
前記構成の紙管口金除去装置によれば、回転している口金取り刃に向けて、紙管の開口端を紙管受けロールによってガイドさせつつ接近させ、前記口金取り刃を開口端から紙管内部に挿入させる。口金取り刃は棒状であり、しかも刃型が形成されているので、口金を打撃することによって紙管の内側面や口金に食い込み、次いで口金を外側に叩き出して口金を除去する。
【０００９】
【発明の実施の形態】
以下、本発明の実施例を図面に基づいて詳細に説明する。図１は本発明の紙管口金除去装置の構成を模式的に示す正面図、図２は図１の背面図、図３は図１の左側面図、図４は図１の右側面図、図５は口金取り刃の構成を示す斜視図、図６は口金除去を示す斜視図、図７は口金除去を示す断面図、図８は除去された口金の形態を示す斜視図である。
【００１０】
図１〜図４に示すように、本実施例における紙菅口金除去装置１（以下、単に除去装置と略称する）は、台２上に配電盤３、一対の軸受４ａ，４ｂに回転自在に支持された回転軸５の略中央部に固定された一対の口金取り刃６ａ，６ｂ、その前部に回転自在に設けられた紙管受けロール７、台２の下に固定されたモータ８等を備えている。
また、台２の背面側には、後述する紙管２１から除去した口金２２を台２の下に落とし込むための落とし口９が設けられている。
前記モータ８の回転制御は、配点盤３に設けられたスイッチ３ａの操作によって行われ、モータ８の駆動力はチェーンカバー１０内に設けられた２つのギア１１，１２と、２つのギア１１，１２に掛け回されたチェーン１３によって回転軸５に伝達される。なお、ギア１１，１２の直径は、１１＞１２に設定され、モータ８の回転数に対し回転軸５が低速回転するようになっている。
【００１１】
図５〜図７に示したように、一対の口金取り刃６ａ，６ｂは基本的に棒状体であって、回転軸から互いに反対方向に突出しているが、その基部は回転軸５にキー等により固定された筒体の固定部材１４に溶接により固定されている。この、一対の口金取り刃６ａ，６ｂは、それぞれ回転軸の中心を通る垂直面（Ｐ）に対して傾斜角（α）を有する面と回転軸表面との交線から前記垂直面に対して垂直な方向に固定されている。なお、本実施形態では２本の口金取り刃６ａ，６ｂが設けられているが、口金取り刃は１本以上あればよく、２本以外に、紙管の寸法や口金の形状により３本、４本等を等間隔で回転軸に取付けることができる。また、前記傾斜角（α）は０〜９０°の間で適宜選択することができる。
一対の口金取り刃６ａ，６ｂの先端部分であって、口金除去時に紙管２１の内側面や口金２２に食い込む面ａは、図５〜図７に示すように刃型に形成されているが、本実施例では一対の口金取り刃６ａ，６ｂは紙管２１の内側面や口金２２に食い込むだけでなく、口金２２を外側に向けて叩き出すように作用するので、ナイフ等の鋭利な刃型には形成されていない。
【００１２】
次に、除去装置１による口金除去作用を実施例によって説明する。
口金除去を行う場合、制御盤３にも受けたスイッチ３ａを操作してモータ８を回転駆動する。なお、モータ８としては例えば３．７ｋＷ程度のものが使用され、減速機により回転数は例えば約１７回／分に設定される。
モータ８の駆動により、回転軸５と一体に固定部材１４と一対の口金取り刃６ａ，６ｂが、図５〜図７に矢印Ａで示した方向に回転する。この状態で、紙管２１を紙管受けロール７上に載せ、開口端が回転中の一対の口金取り刃６ａ，６ｂに近づくように押す。そして、図６及び図７に実線で示すように、回転中の口金刃型６ａ，６ｂの何れか一方、図示の場合は口金刃型６ａを紙管２１の中空部内に差し込ませるとともに、紙管２１全体を手で抑えるようにする。なお、紙管２１内の内径は、約７．５ｃｍである。
【００１３】
この間、一対の口金取り刃６ａ，６ｂは矢印Ａ方向への回転、即ち紙管の外側に向けた回転を継続している。従って、図示の例では、口金取り刃６ａの先端が紙管２１の内側面に食い込み、次いで口金２２の内側端部に叩くように当り、矢印Ａ方向に、言い換えれば紙管２１の開口端から外側に向けて口金を叩き出すように口金に強くあたる。しかし、紙管２１全体は手で抑えられているので、紙管２１全体が矢印Ａ方向に引きずられることはなく、図７に想像線で示すように傾斜する程度である。この結果、口金２２のみが口金取り刃６ａの回転力によって、紙管２１の端部から矢印Ｂで示すように外側に叩き出され、１個の口金除去が完了する。
【００１４】
因みに、除去された口金２２について形状をみると、図８に示すように内側端部の一端に切込み２３が見られ、口金取り刃６ａが強く当たって食い込んでいることが理解できる。
このようにして除去された口金２２は、落とし口９から台２の下に落下する。なお、落とし口９の下部には収納袋や箱等を置くと除去した口金を片付けやすい。
以上のように口金除去が行われるのであるが、本実施例では時間当たり約３００本の紙管２１の口金２２を除去することができた。
【００１５】
以上に本発明の実施例を説明したが、本発明は前記実施例に限定されるものではない。例えば、２本の口金取り刃６ａ，６ｂが設けられているが、この本数は限定されない。また、刃型の形状も限定されず、横断面楕円形のものまたは熊手状のもの等の形状であってもよい。更に、紙管受けローラに、紙管を位置決めするための円弧状のガイド溝を形成してもよい。
モータの回転速度、パワー等も前記に限定されず、紙管の大きさや口金の形状、係止状態に対応して自在に変更できる。
【００１６】
【発明の効果】
以上の如く、本発明の紙管口金除去装置は、回転駆動される口金取り刃を紙管の開口端から内部に挿入し、回転力によって口金を叩き出すようにして除去するものである。従って、構造は極めて簡単であり、安価に製造することができる。しかも、口金除去に際しては、紙管の開口端から口金取り刃を紙管内に挿入し、紙管を抑え付けるだけでよく、口金除去作業を安全に、しかも効率よく行うことができる。
【００１７】
【図面の簡単な説明】
【図１】本発明の実施例である紙管口金除去装置の構成を示す正面図である。
【図２】図１の背面図である。
【図３】図１の左側面図である。
【図４】図１の右側面図である。
【図５】口金取り刃の形状を示す要部の斜視図である。
【図６】口金取り刃の紙管への挿入状態を示す斜視図である。
【図７】口金除去作用を示す断面図である。
【図８】除去された口金の形状を示す斜視図である。
【図９】従来の巻取紙の形態を示す断面図である。
【符号の説明】
１      紙管口金除去装置
２      台
３      配電盤
４ａ，４ｂ    軸受
５      回転軸
６ａ，６ｂ      口金取り刃
７      紙受けロール
８      モータ
９      落とし口
１０    チェーンカバー
１１，１２    ギア
１３    チェーン
１４    回転部材
【図１】
0003725845.tif 000002
【図２】
0003725845.tif 000003
【図３】
0003725845.tif 000004
【図４】
0003725845.tif 000005
【図５】
0003725845.tif 000006
【図６】
0003725845.tif 000007
【図７】
0003725845.tif 000008
【図８】
0003725845.tif 000009
【図９】
0003725845.tif 000010